(57)【特許請求の範囲】
【請求項１】
ディスプレイにビデオ信号を出力する第１及び第２のＡＣＰＩ準拠のパーソナルコンピュータからのビデオ出力を切り替えることにより１台の前記ディスプレイで表示させるＲＧＢ信号入力切替装置であって、
前記ディスプレイと前記第１のＡＣＰＩ準拠パーソナルコンピュータとを切り離し前記ディスプレイと前記第２のＡＣＰＩ準拠パーソナルコンピュータとを接続するように切り替える切替信号を出力する切替スイッチと、
前記切替信号に応じて、前記第１のＡＣＰＩ準拠パーソナルコンピュータに対して、ビデオ信号線上に省電力モードへの移行信号であるスリープ信号を送信する制御デバイスとを含む
ことを特徴とするＲＧＢ信号入力切替装置。
【請求項２】
前記制御デバイスは、前記切替信号に応じて切り替えられた前記第２のＡＣＰＩ準拠パーソナルコンピュータに対して、ビデオ信号線上に省電力モードからの復帰信号であるウェイク信号を送信することを特徴とする請求項１に記載のＲＧＢ信号入力切替装置。
【請求項３】
前記制御デバイスは、前記切替スイッチからの前記切替信号をいったん保持できるレジスタを含むことを特徴とする請求項１または２に記載のＲＧＢ信号入力切替装置。
【請求項４】
前記第１及び第２のＡＣＰＩ準拠のパーソナルコンピュータに備えられたビデオ・コントローラは、前記制御デバイスからのスリープ要因を保持できるレジスタを備えた制御デバイスを含むことを特徴とする請求項１乃至３のいずれかに記載のＲＧＢ信号入力切替装置。
【請求項５】
ディスプレイにビデオ信号を出力する第１及び第２のＡＣＰＩ準拠のパーソナルコンピュータからのビデオ出力を１台の前記ディスプレイで表示させる際の消費電力低減方法であって、
前記ディスプレイと前記第１のＡＣＰＩ準拠パーソナルコンピュータとを切り離し前記ディスプレイと前記第２のＡＣＰＩ準拠パーソナルコンピュータとを接続するように切り替える切替信号を出力する切替スイッチ工程と、
前記切替信号に応じて、前記第１のＡＣＰＩ準拠パーソナルコンピュータに対して、ビデオ信号線上に省電力モードへの移行信号であるスリープ信号を送信する省電力管理工程とを含む
ことを特徴とする消費電力低減方法。
【請求項６】
前記省電力管理工程において、前記切替信号に応じて切り替えられた前記第２のＡＣＰＩ準拠パーソナルコンピュータに対して、ビデオ信号線上に省電力モードからの復帰信号であるウェイク信号を送信することを特徴とする請求項５に記載の消費電力低減方法。
【請求項７】
前記省電力管理工程は、前記切替スイッチ工程からの前記切替信号をいったん保持する切替信号保持工程を含むことを特徴とする請求項５または６に記載の消費電力低減方法。
【請求項８】
前記第１及び第２のＡＣＰＩ準拠のパーソナルコンピュータに備えられたビデオ・コントローラは、パーソナルコンピュータ外部の前記省電力管理工程からのスリープ要因を保持するスリープ要因保持工程を実行することを特徴とする請求項５乃至７のいずれかに記載の消費電力低減方法。
【発明の詳細な説明】
【０００１】
【発明の属する技術分野】
本発明は、パーソナルコンピュータのディスプレイ等の表示装置の消費電力低減技術に係り、特にディスプレイを利用していないパーソナルコンピュータを省電力モードに移行させ消費電力の低減を図るとともに、省電力モードと動作モードとの間のモード移行を使用者に意識させることなく自動処理できるＲＧＢ信号入力切替装置および消費電力低減方法に関する。
【０００２】
【従来の技術】
近年、パーソナルコンピュータの利用が本格化する状況にある。パーソナルコンピュータ（ＰＣ）等の電子機器は、普通、キーボードやマウスによって各種の制御用の入力操作が行えるとともに、コンピュータ処理結果等としての映像信号を出力するよう構成されているものである。勿論、映像信号を画像として映し出す映像表示機器が必要であるが、複数台のＰＣを使用した稼働システムを構築する際は、１台の映像表示機器を共用する場合がある。
【０００３】
すなわち、複数台のＰＣの中の任意の１台のＰＣの映像信号だけが映像表示機器に選択的に切り換え導入されるようＰＣと映像表示機器の間における電気的な接続の切り換えをおこなうスイッチ（接続切換手段）を備えた映像信号切換装置を、複数台のＰＣと１台の映像表示機器の間に配備する。映像表示機器の画面には、映像信号切換装置のスイッチの選択に係るＰＣからの映像信号による画像だけが表示されることになる。他のＰＣからの映像信号による画像の表示に変えたければ、映像信号切換装置のスイッチを操作して、ＰＣと映像表示機器の間の電気的な接続を切り換えるようにする。このように、１台の映像表示機器を複数台のＰＣで共用すれば、各ＰＣ１台ごとに映像表示機器を１台ずつ置く場合に比べて、機器設置面積や機器購入費用を節約することができる。
【０００４】
しかしながら、上記のように、１台の映像表示機器を複数台のＰＣで共用する場合、共用の映像表示機器と接続中のＰＣ以外のＰＣにおいて、しばしば不適当な入力操作がなされるという問題がある。映像表示機器に表示中の画面を、映像表示機器と実際に接続されていない他のＰＣのものと誤解し、画面とは関係のない他のＰＣにおいて、映像表示機器に表示中の画面に従って不適当な入力操作を行ってしまうことがある。
【０００５】
不適当な入力操作の具体例としては、映像表示機器と実際に接続中のＰＣでは、必要な処理が終了して映像表示機器の画面に「終了キーを押してください」という指示表示が映し出されている一方、映像表示機器の画面とは関係のない他のＰＣでは必要な演算が実行されている最中であるという場合、操作者が表示中の画面を演算実行中の他のＰＣの画面であると錯覚し、画面の指示通りに終了キーを間違って押してしまうという入力操作が挙げられる。勿論、不適当な入力操作が行われた他のＰＣでは実行中の演算が途中で中断され、処理結果が得られないという困った事態が発生するという問題点があった。
【０００６】
このような問題点を解決することを目的とする従来技術としては、例えば、特開平１０−６３３８２号公報に記載のものがある。すなわち、特開平１０−６３３８２号公報に記載の従来技術は、複数台の電子機器で１台の映像表示機器を共用する際、映像表示機器と接続中の電子機器以外の電子機器に対して、不適当な入力操作がなされることを阻止することを目的とするものであって、制御用の入力操作が行えるとともに映像信号が出力されるよう構成された複数台の電子機器と１台の映像表示機器との間に配備される装置であって、複数台の電子機器の中の任意の１台の電子機器の映像信号だけが映像表示機器に選択的に切り換え導入されるよう各電子機器と映像表示機器の間における電気的な接続の切り換えをおこなう接続切換手段を備えた映像信号切換装置において、接続切換手段による電子機器と映像表示機器の間の接続の切り換えと連動して、映像表示機器に接続されなかった他の電子機器に対しては、その入力操作を無効にするロック信号を出力するロック信号出力手段を備えた映像信号切換装置である。
【０００７】
このような映像信号切換装置によれば、１台の映像表示機器を複数台の電子機器の間で共用する場合、ロック信号出力手段により、映像表示機器に接続されなかった他の電子機器に対し、その入力操作を無効にするロック信号が連動して与えられる結果、映像表示機器に接続されなかった他の電子機器は、入力操作が実質的に禁止された状態となるので、映像表示機器と接続中の電子機器以外の電子機器に対し不適当な入力操作がなされることを確実に阻止することができるといった効果が開示されている。
【０００８】
【発明が解決しようとする課題】
しかしながら、上記従来技術の映像信号切換装置をＲＧＢ信号入力切替装置として用いて複数のＰＣの表示を１台のディスプレイで共用させるシステムを想定した場合、使用中でないＰＣは省電力モードにならず、電力を無駄に消費するという問題点があった。
【０００９】
このような問題点を解決することを目的とする従来技術も提案されてはいるが、これらの従来技術の多くは各ＰＣが有する省電力に関する機能を利用しているにすぎないため、使用者が各ＰＣ上で省電力に関するタイマーを予め設定しておく必要があり、手間がかかるという問題点があった。また、同様に省電力モードからの復帰に関しても、ＰＣの電源ボタンを押したり、マウスやキーボードを操作したり、タイマーの設定を行うなどの特別な操作がが必要であるという問題点があった。
【００１０】
本発明は斯かる問題点を鑑みてなされたものであり、その目的とするところは、ディスプレイを利用していないＰＣを省電力モードに移行させ消費電力の低減を図るとともに、省電力モードと動作モードとの間のモード移行を使用者に意識させることなく自動処理できるＲＧＢ信号入力切替装置および消費電力低減方法を提供する点にある。
【００１１】
【課題を解決するための手段】
請求項１に記載の発明の要旨は、ディスプレイにビデオ信号を出力する第１及び第２のＡＣＰＩ準拠のパーソナルコンピュータからのビデオ出力を切り替えることにより１台の前記ディスプレイで表示させるＲＧＢ信号入力切替装置であって、前記ディスプレイと前記第１のＡＣＰＩ準拠パーソナルコンピュータとを切り離し前記ディスプレイと前記第２のＡＣＰＩ準拠パーソナルコンピュータとを接続するように切り替える切替信号を出力する切替スイッチと、前記切替信号に応じて、前記第１のＡＣＰＩ準拠パーソナルコンピュータに対して、ビデオ信号線上に省電力モードへの移行信号であるスリープ信号を送信する制御デバイスとを含むことを特徴とするＲＧＢ信号入力切替装置に存する。
また、請求項２に記載の発明の要旨は、前記制御デバイスは、前記切替信号に応じて切り替えられた前記第２のＡＣＰＩ準拠パーソナルコンピュータに対して、ビデオ信号線上に省電力モードからの復帰信号であるウェイク信号を送信することを特徴とする請求項１に記載のＲＧＢ信号入力切替装置に存する。
また、請求項３に記載の発明の要旨は、前記制御デバイスは、前記切替スイッチからの前記切替信号をいったん保持できるレジスタを含むことを特徴とする請求項１または２に記載のＲＧＢ信号入力切替装置に存する。
また、請求項４に記載の発明の要旨は、前記第１及び第２のＡＣＰＩ準拠のパーソナルコンピュータに備えられたビデオ・コントローラは、前記制御デバイスからのスリープ要因を保持できるレジスタを備えた制御デバイスを含むことを特徴とする請求項１乃至３のいずれかに記載のＲＧＢ信号入力切替装置に存する。
また、請求項５に記載の発明の要旨は、ディスプレイにビデオ信号を出力する第１及び第２のＡＣＰＩ準拠のパーソナルコンピュータからのビデオ出力を１台の前記ディスプレイで表示させる際の消費電力低減方法であって、前記ディスプレイと前記第１のＡＣＰＩ準拠パーソナルコンピュータとを切り離し前記ディスプレイと前記第２のＡＣＰＩ準拠パーソナルコンピュータとを接続するように切り替える切替信号を出力する切替スイッチ工程と、前記切替信号に応じて、前記第１のＡＣＰＩ準拠パーソナルコンピュータに対して、ビデオ信号線上に省電力モードへの移行信号であるスリープ信号を送信する省電力管理工程とを含むことを特徴とする消費電力低減方法に存する。
また、請求項６に記載の発明の要旨は、前記省電力管理工程において、前記切替信号に応じて切り替えられた前記第２のＡＣＰＩ準拠パーソナルコンピュータに対して、ビデオ信号線上に省電力モードからの復帰信号であるウェイク信号を送信することを特徴とする請求項５に記載の消費電力低減方法に存する。
また、請求項７に記載の発明の要旨は、前記省電力管理工程は、前記切替スイッチ工程からの前記切替信号をいったん保持する切替信号保持工程を含むことを特徴とする請求項５または６に記載の消費電力低減方法に存する。
また、請求項８に記載の発明の要旨は、前記第１及び第２のＡＣＰＩ準拠のパーソナルコンピュータに備えられたビデオ・コントローラは、パーソナルコンピュータ外部の前記省電力管理工程からのスリープ要因を保持するスリープ要因保持工程を実行することを特徴とする請求項５乃至７のいずれかに記載の消費電力低減方法に存する。
【００１２】
【発明の実施の形態】
本発明の特徴は、複数のパーソナルコンピュータ（ＰＣ）のビデオ出力をＲＧＢ信号入力切替装置を用いて１台のディスプレイで表示させるシステムに対して、ＲＧＢ信号入力切替装置にＩ２Ｃ（Ｉｎｔｅｒ−Ｉｎｔｅｇｒａｔｅｄ  Ｃｉｒｃｕｉｔ：インター・インテグレーテッド・サーキット）デバイスを搭載し、ディスプレイを利用していないＰＣをＲＧＢ信号入力切替装置とビデオ・コントローラ間のＩ２Ｃインターフェースを用いてＩ２ＣデバイスからＰＣへスリープ信号（省電力モードへの移行信号）を送信して省電力モードに移行させることにより消費電力を低減する点にある。以下、本発明の実施の形態を図面に基づいて詳細に説明する。
【００１３】
（第１の実施の形態）
図１は本発明の第１の実施の形態に係るＲＧＢ信号入力切替装置２０の構成を説明するための機能ブロック図である。以下、図１ではＲＧＢ信号入力切替装置２０と接続されているＡＣＰＩ準拠ＰＣ３０，３１，３２は３台であるが、特に数の規定はない。また、ＡＣＰＩ準拠ＰＣ３０，３１，３２とは、米国インテル社や米国マイクロソフト社、株式会社  東芝等で実用化されているアドバンスト・コンフィグレーション・パワー・インタフェース・スペシフィケーション（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ  Ｓｐｅｃｉｆｉｃａｔｉｏｎ）で規定されている仕様を満たすパーソナルコンピュータ（ＰＣ）であり、ディスプレイ１０に画面を表示させるために、内部にビデオ・コントローラ４０，４１，４２を有する。
【００１４】
本発明のＲＧＢ信号入力切替装置２０は、制御信号６５を介してセレクタ７０を制御し、Ｉ２Ｃインタフェースを使ってビデオ信号６３上にスリープ（ｓｌｅｅｐ：省電力モードへの移行）信号やウェイク（ｗａｋｅ：省電力モードからの復帰）信号を送ることができるＩ２Ｃデバイス５３と、切替信号６６を生成・出力する切替スイッチ８０と、制御信号６５に応じてＡＣＰＩ準拠ＰＣ３０，３１，３２のいずれかにビデオ信号６３を選択的に供給するセレクタ７０を備えている。
【００１５】
ディスプレイ１０にビデオ信号６４を供給するＩ２Ｃデバイス５３は、切替スイッチ８０からの切替信号６６をいったん保持できるレジスタ９３を備えている。ビデオ・コントローラ４０上のＩ２Ｃデバイス５０はＩ２Ｃデバイス５３からのスリープ要因を保持できるレジスタ９０を備え、ビデオ・コントローラ４１上のＩ２Ｃデバイス５１はＩ２Ｃデバイス５３からのスリープ要因を保持できるレジスタ９１を備え、ビデオ・コントローラ４２上のＩ２Ｃデバイス５２はＩ２Ｃデバイス５３からのスリープ要因を保持できるレジスタ９２を備えている。
【００１６】
次に図１を参照してＲＧＢ信号入力切替装置２０の動作について説明する。以下の説明では、ＡＣＰＩ準拠ＰＣ３０は動作モードで、ＡＣＰＩ準拠ＰＣ３１，３２は省電力モードであると想定する。図１を参照すると、本実施の形態では、まず、ＡＣＰＩ準拠ＰＣ３０が選択されている状態でＲＧＢ信号入力切替装置２０上の切替スイッチ８０が押されＡＣＰＩ準拠ＰＣ３１が選択されると、Ｉ２Ｃデバイス５３が現在ＲＧＢ信号が選択されているビデオ信号６０上にスリープ信号６０１（省電力モードへの移行信号）を送信する。
【００１７】
このスリープ信号６０１（省電力モードへの移行信号）を受信したビデオ・コントローラ４０上のＩ２Ｃデバイス５０はＡＣＰＩ準拠ＰＣ３０を省電力モードに移行させる。これと同期して、セレクタ７０はＩ２Ｃデバイス５３の指示によりＲＧＢの信号入力をＡＣＰＩ準拠ＰＣ３１に切り替える。このとき、Ｉ２Ｃデバイス５３は次にＲＧＢ信号が有効になるＡＣＰＩ準拠ＰＣ３１に接続されているビデオ信号６１にウェイク信号６０２（省電力モードからの復帰信号）を送信する。ウェイク信号６０２（省電力モードからの復帰信号）を受信したビデオ・コントローラ４１上のＩ２Ｃデバイス５１はＡＣＰＩ準拠ＰＣ３１をウェイク（復帰）させる。なお、図１中で符号６２はビデオ・コントローラ４２上のＩ２Ｃデバイス５２に向けたビデオ信号を示している。
【００１８】
以上説明したように第１の実施の形態のＲＧＢ信号入力切替装置２０によれば、ディスプレイ１０を利用しなくなるＡＣＰＩ準拠ＰＣ３０をＲＧＢ信号入力切替装置２０によって省電力モードに移行させることができ、消費電力の削減という効果が得られる。
【００１９】
図２はＡＣＰＩ準拠ＰＣ３０，３１，３２の内部の詳細構成を説明するための機能ブロック図である。図２を参照すると、本実施の形態のＡＣＰＩ準拠ＰＣ３０，３１，３２は、ＰＣＩバス１００と、ＰＣＩバス１００を制御するＰＣＩバスコントローラ２００を備えている。
【００２０】
ビデオ・コントローラ４７は、ＰＣＩバス１００に割り込み信号１０１やＰＭＥ信号１０２をアサートする機能を有する。ＰＣＩバス１００に割り込み信号１０１がアサートされると、ＰＣＩバスコントローラ２００は割り込みコントローラ３００に割り込み信号２０１を出力する。
【００２１】
この割り込み信号２０１を受信した割り込みコントローラ３００は、オペレーティングシステム（ＯＳ）５００に割り込み信号３０１を通知する。また、ＰＣＩバス１００にＰＭＥ信号１０２がアサートされるとＰＣＩバスコントローラ２００は、ＡＣＰＩコントローラ４００にＰＭＥ信号２０２を出力する。ここで、ビデオ・コントローラ４７を制御するドライバは、ビデオ・コントローラ４７からの割り込み信号１０１の要因を、Ｉ２Ｃデバイス５７のレジスタ９７を参照しスリープ要因だと判断して、オペレーティングシステム５００にスリープ要求（省電力モードへの移行要求）を出す機能を有する。
【００２２】
ＡＣＰＩ準拠ＰＣ３０，３１，３２は、図２のＰＣＩバス１００のＰＭＥ信号１０２によりシステムをウェイク（復帰）させる機能を有する。ＡＣＰＩ準拠ＰＣ３０，３１，３２上で動作しているオペレーティングシステム５００はＡＣＰＩの機能を有する。
【００２３】
ＲＧＢ信号入力切替装置２０とは、ビデオ信号６０，６１，６２で接続されているＡＣＰＩ準拠ＰＣ３０，３１，３２のビデオ・コントローラ４０，４１，４２のビデオ出力をセレクタ７０によって切り替え、ビデオ信号６４にそのビデオ出力を送信してディスプレイ１０に表示させるものである。
【００２４】
使用者が切替スイッチ８０を押してＡＣＰＩ準拠ＰＣ３１を選択すると、その情報は切替信号６６によってＩ２Ｃデバイス５３に通知され、Ｉ２Ｃデバイス５３がセレクタ７０によって現在接続されているＡＣＰＩ準拠ＰＣ３０内部のビデオ・コントローラ４０上のＩ２Ｃデバイス５０にスリープ信号６０１（省電力モードへの移行信号）を送信する。
【００２５】
スリープ信号６０１（省電力モードへの移行信号）を受信したＩ２Ｃデバイス５０は、ＰＣＩバス１００に割り込み信号１０１を送信して、ＡＣＰＩ準拠ＰＣ３０，３１，３２をスリープ（省電力モードへ移行）させる要求をオペレーティングシステム５００に送信する。
【００２６】
また、Ｉ２Ｃデバイス５３はセレクタ７０を切り替え、次に接続されるＡＣＰＩ準拠ＰＣ３１内部のビデオ・コントローラ４１上のＩ２Ｃデバイス５１にウェイク信号６０２（省電力モードからの復帰信号）を送信する。
【００２７】
ウェイク信号６０２（省電力モードからの復帰信号）を受信したＩ２Ｃデバイス５１は、ＰＣＩバス１００にＰＭＥ信号１０２を送信してＡＣＰＩ準拠ＰＣ３１をウェイク（復帰）させる。
【００２８】
ＰＣＩバス１００にＰＭＥ信号１０２がアサートされることによりＡＣＰＩ準拠ＰＣ３０，３１，３２のシステムがウェイクする構成や、ＰＣＩバス１００の割り込み信号１０１がアサートされた後にそのドライバがオペレーティングシステム５００をスリープ（省電力モードへ移行）させる構成は、ＰＣＩローカル・バス・スペシフィケーションのＰＣＩスペシャル・インタレスト・グループ（ＰＣＩ  Ｌｏｃａｌ  Ｂｕｓ  Ｓｐｅｃｉｆｉｃａｔｉｏｎ，ＰＣＩ  Ｓｐｅｃｉａｌ  Ｉｎｔｅｒｅｓｔ  Ｇｒｏｕｐ）およびアドバンスト・コンフィグレーション・アンド・パワー・インタフェース・スペシフィケーション（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ
Ｓｐｅｃｉｆｉｃａｔｉｏｎ）に詳細が記載されている。
【００２９】
次に図３〜図５を参照して消費電力低減方法（ＲＧＢ信号入力切替装置２０の動作）について説明する。まず、ＡＣＰＩ準拠ＰＣ３０からＡＣＰＩ準拠ＰＣ３１へディスプレイ１０の表示を切り替える動作について図３のフローチャートを用いて説明する。以下の説明では、ＡＣＰＩ準拠ＰＣ３０は動作モードで、ＡＣＰＩ準拠ＰＣ３１，３２は省電力モードであると想定する。
【００３０】
図３を参照すると、本実施の形態の表示切替動作では、まず、使用者がＲＧＢ信号入力切替装置２０上の切替スイッチ８０を押すことにより、切替信号６６がＩ２Ｃデバイス５３に通知される（ステップＡ１）。
【００３１】
このとき、切替信号６６が来たときにすぐに切り替えるのではなく、いったんＩ２Ｃデバイス５３がその情報をレジスタ９３に保持する（ステップＡ２）。
【００３２】
これに応じてＩ２Ｃデバイス５３は、現在ＲＧＢ信号が選択されているビデオ信号６０上にスリープ信号６０１（省電力モードへの移行信号）を出力する（ステップＡ３）。
【００３３】
その後、Ｉ２Ｃデバイス５３は制御信号６５を使ってセレクタ７０に対し、ＲＧＢ信号入力の切替命令を出力する（ステップＡ４）。
【００３４】
ＲＧＢ信号入力の切替命令を受信したセレクタ７０は、入力をＡＣＰＩ準拠ＰＣ３１へ切り替える（ステップＡ５）。
【００３５】
最後に、Ｉ２Ｃデバイス５３は今度ＲＧＢ信号が有効になるＡＣＰＩ準拠ＰＣ３１に接続されているビデオ信号６１上にウェイク信号６０２（省電力モードからの復帰信号）を出力する（ステップＡ６）。
【００３６】
これら一連の動作により、今まで利用していたＡＣＰＩ準拠ＰＣ３０を省電力モードに移行させ、次に利用するＡＰＣＩ準拠ＰＣ３１を省電力モードから復帰させ、そのビデオ信号６１をディスプレイ１０に表示させることができる。
【００３７】
次に本実施の形態の消費電力低減方法で実行されるスリープ動作を説明する。図４は本発明の第１の実施の形態に係る消費電力低減方法のスリープ動作を説明するためのフローチャートである。図４を参照すると、ビデオ・コントローラ４７上のＩ２Ｃデバイス５７は、Ｉ２Ｃデバイス５３との間のＩ２Ｃインターフェースを用い、ビデオ信号６７を介してスリープ要求（省電力モードへの移行要求）を受け取る（ステップＢ１）。
【００３８】
スリープ要求（省電力モードへの移行要求）を受信したＩ２Ｃデバイス５７は、レジスタ９７にスリープ要因を保持する（ステップＢ２）。
【００３９】
その後、Ｉ２Ｃデバイス５７はスリープ要求（省電力モードへの移行要求）をオペレーティングシステム５００に伝えるためビデオ・コントローラ４７を介してＰＣＩバス１００に割り込み信号１０１を出力する（ステップＢ３）。
【００４０】
割り込み信号１０１を受信したＰＣＩバスコントローラ２００は、割り込みコントローラ３００に割り込み信号２０１を通知する（ステップＢ４）。
【００４１】
割り込み信号３０１を受信した割り込みコントローラ３００は、割り込み信号３０１をオペレーティングシステム５００に通知する（ステップＢ５）。
【００４２】
オペレーティングシステム５００は割り込み信号３０１を受け取り、その割り込みがビデオ・コントローラ４７からの割り込みと判断するとビデオ・コントローラ４７のドライバに割り込みを通知する（ステップＢ６）。
【００４３】
ビデオ・コントローラ４７のドライバは、その割り込み要因がＩ２Ｃデバイス５７のレジスタ９７からのスリープ要求（省電力モードへの移行要求）と判断すると、レジスタ９７の値をクリアし、オペレーティングシステム５００に対してスリープ要求（省電力モードへの移行要求）を出力する（ステップＢ７）。
【００４４】
オペレーティングシステム５００はスリープ要求（省電力モードへの移行要求）に従って、ＡＣＰＩ準拠ＰＣ３０をスリープ（省電力モードへ移行）させる（ステップＢ８）。
【００４５】
次に図５を参照して本実施の形態の消費電力低減方法で実行されるウェイク動作を説明する。図５は本発明の第１の実施の形態に係る消費電力低減方法のウェイク動作を説明するためのフローチャートである。
【００４６】
図５を参照すると、ビデオ・コントローラ４７上のＩ２Ｃデバイス５７は、Ｉ２Ｃデバイス５３との間のＩ２Ｃインターフェースを用い、ビデオ信号６７を介して起動要求（ウェイク要求）を受け取る（ステップＣ１）。
【００４７】
Ｉ２Ｃデバイス５７は、起動要求（ウェイク要求）をオペレーティングシステム５００に伝えるため、ビデオ・コントローラ４７を介してＰＣＩバス１００にＰＭＥ信号１０２を出力する（ステップＣ２）。
【００４８】
ＰＣＩバス１００にＰＭＥ信号１０２がアサートされるとＰＣＩバスコントローラ２００は、ＡＣＰＩコントローラ４００にＰＭＥ信号２０２を出力する（ステップＣ３）。
【００４９】
ＡＣＰＩコントローラ４００はＰＭＥ信号２０２をウェイクイベントと判断し、システムをウェイク（復帰）させる（ステップＣ４）。
【００５０】
ＡＣＰＩコントローラ４００がウェイクイベントを受け取ってＡＣＰＩ準拠ＰＣ３０，３１，３２をウェイク（復帰）させる動作に関しては、アドバンスト・コンフィグレーション・パワー・インタフェース・スペシフィケーション（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ：ＡＣＰＩ）に記載されている通常の技術を用いている。
【００５１】
以上説明したように本実施の形態によれば以下に掲げる効果を奏する。まず第１の効果は、ディスプレイ１０を利用しないＡＣＰＩ準拠ＰＣ３０，３１，３２の消費電力を低減できることである。その理由は、ＲＧＢ信号入力切替装置２０にＩ２Ｃデバイス５３を搭載することで、使用者からのＲＧＢ信号の切替要求があったときディスプレイ１０の表示切替はもちろん使用していたＡＣＰＩ準拠ＰＣ３０，３１，３２へスリープ信号６０１（省電力モードへの移行信号）を送信して省電力モードへ移行させることができるからである。
【００５２】
また第２の効果は、切替スイッチ８０を押すだけでＰＣを省電力モードへ移行できることである。その理由は、使用者が切替スイッチ８０を押したときに、動作中のＡＣＰＩ準拠ＰＣ３０，３１，３２に対してＩ２Ｃデバイス５３がスリープ信号６０１（省電力モードへの移行信号）を送信することで、今まで使用していた装置は自動的に省電力モードに移行するからである。
【００５３】
そして第３の効果は、切替スイッチ８０を押すだけでＰＣを省電力モードから復帰できることである。その理由は、ＲＧＢ信号入力切替装置２０上に搭載されたＩ２Ｃデバイス５３が省電力モードにあるＡＣＰＩ準拠ＰＣ３０，３１，３２に対してウェイク信号６０２（省電力モードからの復帰信号）を送信することで、システムを省電力モードから復帰させることができるからである。
【００５４】
（第２の実施の形態）
次に、図面に基づき本発明の第２の実施の形態を説明する。第２の実施の形態は、その基本的構成は図１に示した第１の実施の形態を同様であるが、ビデオ・コントローラ４０，４１，４２上のＩ２Ｃデバイス５０，５１，５２がスリープ信号（省電力モードへの移行信号）やウェイク信号を受信した後の処理に関して図２に示される割り込み信号１０１やＰＭＥ信号１０２を利用しない点に特徴を有している。第２の実施の形態の特徴的な動作を図６に示す。
【００５５】
図６において、ディスプレイ１０（不図示）にビデオ信号６８を供給するビデオ・コントローラ４８上のＩ２Ｃデバイス５８はスリープ要求を受信した際に、ＡＣＰＩコントローラ４５０にスリープイベント４５１を専用線を介して直接送信する。また、起動要求（ウェイク要求）を受信した際に、ＡＣＰＩコントローラ４５０にウェイクイベント４５２を専用線を介して直接送信する。
【００５６】
イベントを受信したＡＣＰＩコントローラ４５０はスリープイベント４５１に従ってＡＣＰＩ準拠ＰＣ３０，３１，３２をスリープさせ、ウェイクイベント４５２に従ってＡＣＰＩ準拠ＰＣ３０，３１，３２をウェイクさせる。
【００５７】
第２の実施の形態では、ＡＣＰＩ準拠ＰＣ３０，３１，３２のハードウェア内のＡＣＰＩコントローラ４５０に、ビデオ・コントローラ４０，４１，４２からのスリープイベント４５１、ウェイクイベント４５２を追加している。しかしその一方で、第１の実施の形態とは違い、ビデオ・コントローラ４０，４１，４２上のＩ２Ｃデバイス５０，５１，５２はスリープ要因を保持するためのレジスタ９０，９１，９２が不要となり、また、ビデオ・コントローラ４０，４１，４２のドライバからオペレーティングシステム５００にスリープ要求を出すという機能が不要となるといったメリットも備えている。
【００５８】
なお、本実施の形態で用いるイベントの追加およびスリープ動作、ウェイク動作に関しては、アドバンスト・コンフィグレーション・パワー・インタフェース・スペシフィケーション（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ：ＡＣＰＩ）に記載されている通常の技術を用いている。
【００５９】
なお、本発明が上記各実施の形態に限定されず、本発明の技術思想の範囲内において、各実施の形態は適宜変更され得ることは明らかである。また上記構成部材の数、位置、形状等は上記実施の形態に限定されず、本発明を実施する上で好適な数、位置、形状等にすることができる。また、各図において、同一構成要素には同一符号を付している。
【００６０】
【発明の効果】
本発明は以上のように構成されているので、以下に掲げる効果を奏する。まず第１の効果は、ディスプレイを利用しないＡＣＰＩ準拠パーソナルコンピュータの消費電力を低減できることである。その理由は、ＲＧＢ信号入力切替装置にＩ２Ｃデバイスを搭載することで、使用者からのＲＧＢ信号の切替要求があったときディスプレイの表示切替はもちろん使用していたＡＣＰＩ準拠パーソナルコンピュータへスリープ信号（省電力モードへの移行信号）を送信して省電力モードへ移行させることができるからである。
【００６１】
また第２の効果は、切替スイッチを押すだけでパーソナルコンピュータを省電力モードへ移行できることである。その理由は、使用者が切替スイッチを押したときに、動作中のＡＣＰＩ準拠パーソナルコンピュータに対してＩ２Ｃデバイスがスリープ信号（省電力モードへの移行信号）を送信することで、今まで使用していた装置は自動的に省電力モードに移行するからである。
【００６２】
そして第３の効果は、切替スイッチを押すだけでパーソナルコンピュータを省電力モードから復帰できることである。その理由は、ＲＧＢ信号入力切替装置上に搭載されたＩ２Ｃデバイスが省電力モードにあるＡＣＰＩ準拠パーソナルコンピュータに対してウェイク信号を送信することで、システムを省電力モードから復帰させることができるからである。
【図面の簡単な説明】
【図１】本発明の第１の実施の形態に係るＲＧＢ信号入力切替装置の構成を説明するための機能ブロック図である。
【図２】ＡＣＰＩ準拠ＰＣの内部の詳細構成を説明するための機能ブロック図である。
【図３】ディスプレイの表示をＡＣＰＩ準拠ＰＣ間で切り替える動作を説明するためのフローチャートである。
【図４】本発明の第１の実施の形態に係る消費電力低減方法のスリープ動作を説明するためのフローチャートである。
【図５】本発明の第１の実施の形態に係る消費電力低減方法のウェイク動作を説明するためのフローチャートである。
【図６】本発明の第２の実施の形態に係るＲＧＢ信号入力切替装置の構成を説明するための機能ブロック図である。
【符号の説明】
１０…ディスプレイ
２０…ＲＧＢ信号入力切替装置
３０，３１，３２…ＡＣＰＩ準拠パーソナルコンピュータ（ＰＣ）
４０，４１，４２，４７，４８…ビデオ・コントローラ
５０，５１，５２，５３，５７，５８…Ｉ２Ｃデバイス
６０，６１，６２，６３，６４，６７，６８…ビデオ信号
６５…制御信号
６６…切替信号
７０…セレクタ
８０…切替スイッチ
９０，９１，９２，９３，９７…レジスタ
１００…ＰＣＩバス
１０１，２０１，３０１…割り込み信号
１０２，２０２…ＰＭＥ信号
２００…ＰＣＩバスコントローラ
３００…割り込みコントローラ
４００，４５０…ＡＣＰＩコントローラ
４５１…スリープイベント
４５２…ウェイクイベント
５００…オペレーティングシステム
６０１…スリープ信号（省電力モードへの移行信号）
６０２…ウェイク信号（省電力モードからの復帰信号）
【図１】
0003575355.tif 000002
【図２】
0003575355.tif 000003
【図３】
0003575355.tif 000004
【図４】
0003575355.tif 000005
【図５】
0003575355.tif 000006
【図６】
0003575355.tif 000007